【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
人体から排出される尿以外の液体を除去するための吸引システムであって、
ａ．該人体から排出された尿以外の該液体を回収するための液体回収領域を有する身体インターフェースデバイスと、
ｂ．該液体回収領域における排出された液体の存在を検出するための、該液体回収領域に隣接して配置されているか、または配置可能である液体センサと
を備える、吸引システム。
【請求項２】
前記液体センサは、液体に接触せずに前記液体を検出するように構成される、請求項１に記載の吸引システム。
【請求項３】
前記液体センサは、検知された液体を示す電子信号を生成する、請求項１に記載の吸引システム。
【請求項４】
前記身体インターフェースデバイスは、使い捨て可能なデバイスである、請求項１に記載の吸引システム。
【請求項５】
前記液体センサは、前記身体インターフェースデバイスから分離しているか、または分離可能である、請求項１に記載の吸引システム。
【請求項６】
前記液体センサは、前記身体インターフェースデバイスに永久的に取り付けられる、請求項１に記載の吸引システム。
【請求項７】
前記液体センサは、異なる身体インターフェースデバイスとともに複数回使用されるように構成される、請求項５に記載の吸引システム。
【請求項８】
前記液体センサを前記身体インターフェースデバイスに取り外し可能に取り付けるための取り付け部をさらに備える、請求項５に記載の吸引システム。
【請求項９】
前記身体インターフェースデバイスの上に着用可能であるガーメントさらに備え、該ガーメントは、該身体インターフェースデバイスに隣接する動作検知位置に前記液体センサを係留するように構成される、請求項１に記載の吸引システム。
【請求項１０】
前記身体インターフェースデバイスは、創傷部位のための創傷被覆材を備える、請求項１に記載の吸引システム。
【請求項１１】
前記液体センサは、静電容量センサ、超音波センサ、圧電センサ、電気光学センサ、および温度センサから選択される、請求項１に記載の吸引システム。
【請求項１２】
前記身体インターフェースデバイスは、前記液体回収領域に隣接する前記液体センサを受け入れるためのポケットまたは凹部を備える、請求項１に記載の吸引システム。
【請求項１３】
前記液体センサは、静電容量センサであり、前記身体インターフェースデバイスは、該静電容量センサが電場を投射可能である材料から作製される壁または壁部分を備える、請求項１１に記載の吸引システム。
【請求項１４】
前記液体センサは、超音波センサであり、前記身体インターフェースデバイスは、超音波が通過可能である材料から作製される壁または壁部分を備える、請求項１１に記載の吸引システム。
【請求項１５】
前記液体センサは、電気光学センサであり、前記身体インターフェースデバイスは、光学的放射が通過可能である材料から作製される壁または壁部分を備える、請求項１１に記載の吸引システム。
【請求項１６】
前記身体インターフェースデバイスを前記身体に解放可能に取り付けるための皮膚接着剤をさらに備える、請求項１に記載の吸引システム。
【請求項１７】
前記液体回収領域内に液体処理材料をさらに備え、該液体処理材料は、非ゲル化液体吸収材料およびゲル化液体吸収材料から選択される少なくとも１つを備える、請求項１に記載の吸引システム。
【請求項１８】
前記身体インターフェースデバイスの開口に対向するゲル化液体処理材料の第１の領域と、反対側に配置される非ゲル化液体処理材料の第２の領域とを備える、請求項１７に記載の吸引システム。
【請求項１９】
人体から排出される尿以外の液体を除去するための吸引システムであって、
該液体に接触せずに、該センサに近接する該身体から排出された尿以外の該液体を検出するように構成される液体センサであって、検出された液体を示す電気出力を生成し、かつ静電容量センサ、超音波センサ、圧電センサ、光学センサから選択されるセンサ
を備える、吸引システム。
【請求項２０】
尿以外の前記液体を受け入れるための液体回収領域を有する身体インターフェースデバイスをさらに備え、前記液体センサは、該液体回収領域の外部に配置され、該液体回収領域内における尿を検出するように構成される、請求項１９に記載の吸引システム。
【請求項２１】
前記身体インターフェースデバイスは、創傷被覆材を備え、前記尿以外の液体は、創傷滲出液である、請求項２０に記載の吸引システム。
【請求項２２】
前記液体センサからの前記出力に応答し、かつ該液体センサにより液体が検出される場合に、前記身体インターフェースデバイスから液体を吸引するための吸引力を生成するように構成される吸引ユニットをさらに備える、請求項２１に記載の吸引システム。
【請求項２３】
液体センサであって、液体に接触せずに、該センサに近接する前記身体から排出された液体を検出するように構成され、静電容量センサ、超音波センサ、圧電センサ、および光学センサから選択されるセンサ
を備える、創傷被覆材。
【請求項２４】
前記液体センサは、創傷から排出された滲出液を回収するための前記創傷被覆材の液体回収領域に隣接するがその外部に配置され、該液体回収領域における滲出液の存在を検出するように構成される、請求項２３に記載の創傷被覆材。
【請求項２５】
人体により排出される尿以外の液体を除去するための吸引システムを用意する方法であって、
ａ．該人体により排出された尿以外の該液体を収容するための液体回収領域を有する身体インターフェースデバイスを提供するステップと、
ｂ．該液体回収領域において排出された液体の存在を検出するための液体センサを提供するステップと、
ｃ．該身体インターフェースデバイスおよび該液体センサに連結可能である吸引ユニットであって、該液体センサに応答して、該身体インターフェースデバイスから液体を吸引するための吸引力を生成するように動作可能である吸引ユニットを提供するステップと
を含む、方法。
【請求項２６】
前記液体センサは、前記身体インターフェースデバイスから分離しているか、または分離可能である、請求項２５に記載の方法。
【請求項２７】
前記液体センサは、前記身体インターフェースデバイスに永久的に取り付けられる、請求項２５に記載の方法。
【請求項２８】
前記液体センサは、前記液体に接触せずに前記液体を検出するための非接触型センサである、請求項２５に記載の方法。
【請求項２９】
前記身体インターフェースデバイスは、創傷被覆材であり、前記尿以外の液体は、創傷滲出液である、請求項２５に記載の方法。
【請求項３０】
前記液体センサは、静電容量センサ、超音波センサ、圧電センサ、電気光学センサ、および温度センサから選択される、請求項２５に記載の方法。
【手続補正２】
【補正対象書類名】明細書
【補正対象項目名】００１０
【補正方法】変更
【補正の内容】
【００１０】
一定の特徴および着想について上記および添付の請求項に強調しているが、出願人は、本明細書および図面において強調されるか否かに関わらず、本明細書に説明され、および／または図面において例証されるいかなる新規の特徴または着想に対する保護も主張することを求め得る。
例えば、本発明は以下の項目を提供する。
（項目１）
人体から排出される尿以外の液体を除去するための吸引システムであって、
ａ．該人体から排出された尿以外の該液体を回収するための液体回収領域を有する身体インターフェースデバイスと、
ｂ．該液体回収領域における排出された液体の存在を検出するための、該液体回収領域に隣接して配置されているか、または配置可能である液体センサと
を備える、吸引システム。
（項目２）
上記液体センサは、液体に接触せずに上記液体を検出するように構成される、項目１に記載の吸引システム。
（項目３）
上記液体センサは、検知された液体を示す電子信号を生成する、項目１または２に記載の吸引システム。
（項目４）
上記身体インターフェースデバイスは、使い捨て可能なデバイスである、項目１、２、または３に記載の吸引システム。
（項目５）
上記液体センサは、上記身体インターフェースデバイスから分離しているか、または分離可能である、項目１〜項目４のいずれか１項に記載の吸引システム。
（項目６）
上記液体センサは、上記身体インターフェースデバイスに永久的に取り付けられる、項目１〜項目４のいずれか１項に記載の吸引システム。
（項目７）
上記液体センサは、異なる身体インターフェースデバイスとともに複数回使用されるように構成される、項目５に記載の吸引システム。
（項目８）
上記液体センサを上記身体インターフェースデバイスに取り外し可能に取り付けるための取り付け部をさらに備える、項目５または６に記載の吸引システム。
（項目９）
上記身体インターフェースデバイスの上に着用可能であるガーメントさらに備え、該ガーメントは、該身体インターフェースデバイスに隣接する動作検知位置に上記液体センサを係留するように構成される、項目１〜項目８のいずれか１項に記載の吸引システム。
（項目１０）
上記身体インターフェースデバイスは、創傷部位のための創傷被覆材を備える、項目１〜項目９のいずれか１項に記載の吸引システム。
（項目１１）
上記液体センサは、静電容量センサ、超音波センサ、圧電センサ、電気光学センサ、および温度センサから選択される、項目１〜項目１０のいずれか１項に記載の吸引システム。
（項目１２）
上記身体インターフェースデバイスは、上記液体回収領域に隣接する上記液体センサを受け入れるためのポケットまたは凹部を備える、項目１〜項目１１のいずれか１項に記載の吸引システム。
（項目１３）
上記液体センサは、静電容量センサであり、上記身体インターフェースデバイスは、該静電容量センサが電場を投射可能である材料から作製される壁または壁部分を備える、項目１１に記載の吸引システム。
（項目１４）
上記液体センサは、超音波センサであり、上記身体インターフェースデバイスは、超音波が通過可能である材料から作製される壁または壁部分を備える、項目１１に記載の吸引システム
（項目１５）
上記液体センサは、電気光学センサであり、上記身体インターフェースデバイスは、光学的放射が通過可能である材料から作製される壁または壁部分を備える、項目１１に記載の吸引システム。
（項目１６）
上記身体インターフェースデバイスを上記身体に解放可能に取り付けるための皮膚接着剤をさらに備える、項目１〜項目１５のいずれか１項に記載の吸引システム。
（項目１７）
上記液体回収領域内に液体処理材料をさらに備え、該液体処理材料は、非ゲル化液体吸収材料およびゲル化液体吸収材料から選択される少なくとも１つを備える、項目１〜項目１６のいずれか１項に記載の吸引システム。
（項目１８）
上記身体インターフェースデバイスの開口に対向するゲル化液体処理材料の第１の領域と、反対側に配置される非ゲル化液体処理材料の第２の領域とを備える、項目１７に記載の吸引システム。
（項目１９）
人体から排出される尿以外の液体を除去するための吸引システムであって、
該液体に接触せずに、該センサに近接する該身体から排出された尿以外の該液体を検出するように構成される液体センサであって、検出された液体を示す電気出力を生成し、かつ静電容量センサ、超音波センサ、圧電センサ、光学センサから選択されるセンサ
を備える、吸引システム。
（項目２０）
尿以外の上記液体を受け入れるための液体回収領域を有する身体インターフェースデバイスをさらに備え、上記液体センサは、該液体回収領域の外部に配置され、該液体回収領域内における尿を検出するように構成される、項目１９に記載の吸引システム。
（項目２１）
上記身体インターフェースデバイスは、創傷被覆材を備え、上記尿以外の液体は、創傷滲出液である、項目２０に記載の吸引システム。
（項目２２）
上記液体センサからの上記出力に応答し、かつ該液体センサにより液体が検出される場合に、上記身体インターフェースデバイスから液体を吸引するための吸引力を生成するように構成される吸引ユニットをさらに備える、項目２０または２１に記載の吸引システム。
（項目２３）
液体センサであって、液体に接触せずに、該センサに近接する上記身体から排出された液体を検出するように構成され、静電容量センサ、超音波センサ、圧電センサ、および光学センサから選択されるセンサ
を備える、創傷被覆材。
（項目２４）
上記液体センサは、創傷から排出された滲出液を回収するための上記創傷被覆材の液体回収領域に隣接するがその外部に配置され、該液体回収領域における滲出液の存在を検出するように構成される、項目２３に記載の創傷被覆材。
（項目２５）
人体により排出される尿以外の液体を除去するための吸引システムを用意する方法であって、
ａ．該人体により排出された尿以外の該液体を収容するための液体回収領域を有する身体インターフェースデバイスを提供するステップと、
ｂ．該液体回収領域において排出された液体の存在を検出するための液体センサを提供するステップと、
ｃ．該身体インターフェースデバイスおよび該液体センサに連結可能である吸引ユニットであって、該液体センサに応答して、該身体インターフェースデバイスから液体を吸引するための吸引力を生成するように動作可能である吸引ユニットを提供するステップと
を含む、方法。
（項目２６）
上記液体センサは、上記身体インターフェースデバイスから分離しているか、または分離可能である、項目２５に記載の方法。
（項目２７）
上記液体センサは、上記身体インターフェースデバイスに永久的に取り付けられる、項目２５に記載の方法。
（項目２８）
上記液体センサは、上記液体に接触せずに上記液体を検出するための非接触型センサである、項目２５、２６、または２７に記載の方法。
（項目２９）
上記身体インターフェースデバイスは、創傷被覆材であり、上記尿以外の液体は、創傷滲出液である、項目２５〜項目２８のいずれか１項に記載の方法。
（項目３０）
上記液体センサは、静電容量センサ、超音波センサ、圧電センサ、電気光学センサ、および温度センサから選択される、項目２５〜項目２９のいずれか１項に記載の方法。